(57)【要約】【課題】径寸法の異なるピアスピンであっても挿入・固定可能とすることにある。【解決手段】ピアスピン４０（５０）が挿通されるピン孔３０を備えた樹脂製のピアスキャッチ１であって、ピン孔３０は、入口１６と出口２０とを備えた貫通孔であって、且つ入口１６から出口２０に向かって狭まる漏斗形状に形成され、ピン孔３０の内壁断面１４，１８は、ピン孔３０の径方向内方に凸状となった曲線形状に形成されている。【選択図】        図３
2006026143.tif 000002
【特許請求の範囲】
【請求項１】
ピアスピンが挿通されるピン孔を備えた樹脂製のピアスキャッチであって、
前記ピン孔は、入口と出口とを備えた貫通孔であって、且つ該入口から該出口に向かって狭まる漏斗形状に形成され、
該ピン孔の内壁断面は、該ピン孔の径方向内方に凸状となった曲線形状に形成されていることを特徴とするピアスキャッチ。
【請求項２】
請求項に記載のピアスキャッチであって、
前記樹脂はシリコーン樹脂であり、
前記入口と前記出口とは略円形形状であって、
該入口の直径は、０．６５ｍｍ〜０．７０ｍｍであり、
該出口の直径は、０．０２ｍｍ〜０．０５ｍｍであることを特徴とするピアスキャッチ。
【請求項３】
請求項２に記載のピアスキャッチであって、
前記シリコーン樹脂には着色剤が添加されていることを特徴とするピアスキャッチ。
【請求項４】
請求項１から請求項３のいずれかに記載のピアスキャッチであって、
該ピアスキャッチは、本体部と把持部とからなる一体成形品であり、
前記本体部の外形は釣鐘形状をなし、
該本体部の頂部と反対側に位置する本体部の底面には、該底面の周縁から張り出したフランジ形状の前記把持部が形成され、
該把持部と前記本体部とを貫通して前記ピン孔が形成され、
該把持部に前記入口が形成され、該本体部の頂部に前記出口が形成されていることを特徴とするピアスキャッチ。
【発明の詳細な説明】
【技術分野】
【０００１】
本発明は、ピアスキャッチに関する。具体的には、所定の径寸法範囲を有するピアスピンを挿入し固定できるピアスキャッチに関する。
【背景技術】
【０００２】
ピアスは、装飾を施したピアス本体とピアスキャッチとで構成される。これらは、一組のセットとして販売されるのが一般的である。
ピアス本体にはピアスピンが設けられている。ピアスピンは金属製の針であり、０．５ｍｍ〜０．８ｍｍの径寸法を有する。
またピアスキャッチは、あまり目立たないよう、半透明のシリコーン樹脂で５〜７ｍｍ程度の大きさのものが一般的に用いられる。ピアスキャッチには、対となるピアスピンを挿入するためのピン孔が形成されている。ピン孔の径は、対となるピアスピンの径寸法に対応した大きさに形成されている。
なお、この種のピアスとして特許文献１に記載されたピアスが知られている。
【特許文献１】特開平７−３０８２１１号公報
【発明の開示】
【発明が解決しようとする課題】
【０００３】
しかし上述のピアスキャッチでは、他のセット物のピアスピンをうまく挿入・固定できないという問題があった。つまり径寸法が大きいピアスピンでは挿入しずらく、径寸法が小さいピアスピンでは抜け外れてしまうのである。
またピアスキャッチは上述の通り目立たないものであり、ピアスピンだけが紛失してしまうことがある。この場合、他のピアスキャッチでは代用することができず、改めてセット物を買い直す必要があった。
本発明は上述した点に鑑みて創案されたものである。つまり本発明が解決しようとする課題は、径寸法の異なるピアスピンであっても挿入・固定可能とすることにある。
【課題を解決するための手段】
【０００４】
上記課題を解決するために、本発明の各発明は次の手段をとる。
先ず第１の発明に係るピアスキャッチは、ピアスピンが挿通されるピン孔を備えた樹脂製のピアスキャッチであって、ピン孔は、入口と出口とを備えた貫通孔であって、且つ入口から出口に向かって狭まる漏斗形状に形成され、ピン孔の内壁断面は、ピン孔の径方向内方に凸状となった曲線形状に形成されている。
【０００５】
この第１の発明では、漏斗形状のピン孔がピアスキャッチに形成されている。つまりピン孔の入口に向けて末広がりにピン孔の径が大きくなっている。入口から出口に向けてその径が小さくなっている。
またピン孔軸線を通る平面で切断したピン孔の内壁の断面（内壁断面）は曲線形状となっている。この円弧は、ピン孔の径方向内方に向かって凸状の曲線を描く。
【０００６】
ここで「ピン孔の径方向内方に凸状となった曲線形状」には、円周の一部である円弧形状や弓形の湾曲形状などが含まれる。
【０００７】
次に第２の発明に係るピアスキャッチは、第１の発明に係るピアスキャッチであって、樹脂はシリコーン樹脂であり、入口と出口とは略円形形状であって、入口の直径は、０．６５ｍｍ〜０．７０ｍｍであり、出口の直径は、０．０２ｍｍ〜０．０５ｍｍである。
第２の発明では、シリコーン樹脂でピアスキャッチが形成されている。またピアスキャッチには、略円形形状の入口と出口が形成されている。入口と出口とは、所定の直径寸法を有する。
【０００８】
次に第３の発明に係るピアスキャッチは、第２の発明に係るピアスキャッチであって、シリコーン樹脂には着色剤が添加されている。
第３の発明では、ピアスキャッチが着色されて形成される。
【０００９】
次に第４の発明に係るピアスキャッチは、第１の発明から第２の発明に係るピアスキャッチにおいて、ピアスキャッチは、本体部と把持部とからなる一体成形品であり、本体部の外形は釣鐘形状をなし、本体部の頂部と反対側に位置する本体部の底面には、底面の周縁から張り出したフランジ形状の把持部が形成され、把持部と本体部とを貫通してピン孔が形成され、把持部に入口が形成され、本体部の頂部に出口が形成されている。
第４の発明では、ピアスキャッチに把持部が形成されている。またピアスキャッチの把持部側に入口が形成されている。
【発明の効果】
【００１０】
上述した本発明によれば、次の効果を得ることができる。
先ず第１の発明によれば、その入口に向けて末広がりにピン孔が大きくなっているため、径寸法の大きいピアスピンでもピン孔挿入時の挿入荷重を抑えることができる。
また凸状の曲線を描く内壁は、入口付近から急激に狭まっていく。このため、挿入されたピアスピンとピン孔内壁との接触面積は、直線形状の内壁面を有するピアスキャッチと比較して大きくなる。この結果として径寸法の小さいピアスピンであっても、接触面積が大きい分だけ安定して支持できる。
また入口から出口にかけての内壁断面は曲線となっているため、挿入されたピアスピンを出口へと無理なく案内することができる。
【００１１】
次に第２の発明によれば、ピアスキャッチは、シリコーン樹脂が本来有する弾性を備える。更に入口が所定の直径寸法を有することで、０．８ｍｍ程度の径寸法を有するピアスピンであってもその挿入荷重の増加を抑えることができる。
また所定の直径寸法を有する出口へとピン孔が急に狭まるため、出口付近の支持力が増す。よって０．５ｍｍ程度の径寸法を有するピアスピンであっても安定して固定できる。
【００１２】
次に第３の発明によれば、ピアスキャッチが着色されて形成されているため、目につき易い。ピアスキャッチが目に付き易い分、その紛失を防ぐことができる。また着色されたピアスキャッチはファッション性に優れる。
次に第４の発明によれば、把持部が形成されている分だけピアスキャッチを安定して持つことができる。またピアスキャッチの把持部側に入口が形成されているため、ピン孔の方向を間違えることを防止または低減できる。
【発明を実施するための最良の形態】
【００１３】
以下に、本発明を実施するための最良の形態を図面を参照して説明する。
図１はピアスキャッチの側面図、図２は把持部の正面図、図３〜図５はピアスキャッチの断面図である。
【実施例１】
【００１４】
本実施例に係るピアスキャッチ１はピアス本体（図示しない。）を固定する固定具である。ピアス本体には、針形状のピアスピン４０（５０）が設けられている（図４，図５を参照。）。
またピアスキャッチ１にはピアスピン４０（５０）を挿通するためのピン孔３０が形成されている。ピン孔３０は、径寸法ＴＬを有するピアスピン４０から径寸法ＴＳを有するピアスピン５０までのピアスピンを挿入・固定可能な形状となっている。
【００１５】
［ピアスキャッチ外形］
図１のピアスキャッチ１はシリコーン樹脂製の一体成形品であり、同図で見て左右方向の幅寸法ｔｗは６ｍｍである。
このピアスキャッチ１は、本体部１０と把持部１２とからなる。またピアスキャッチ１には、本体部１０と把持部１２とを貫通する後述のピン孔３０が形成されている。
先ず本体部１０の外形は、釣鐘形状となっている。図１で見て左側の本体部１０頂部には、ピン孔３０の出口部２０が形成されている。また同図で見て右側の本体部１０底面には、把持部１２が一体的に形成されている。
把持部１２は、本体部１０底面の周縁部から張り出したフランジ形状の部材である。図１で見て把持部１２の右側の面にはピン孔３０の入口部１６が形成されている。この入口部１６は、図２の正面で見て把持部１２のほぼ中央に形成されている。
【００１６】
入口部１６は、図２の通り正面円形の開口部である。
また図３に示す入口部１６の直径寸法ｔｉは、ピアスピン５０よりも大径のピアスピン４０を挿入可能な大きさに設定される。
また入口部１６の直径寸法ｔｉは、ピアスピン４０の径寸法ＴＬよりも小さく形成されている。入口部１６を小さくすることで、ピアスピン４０（５０）を接触支持する内壁面積を広げることができる。
なお入口部１６の直径寸法ｔｉが径寸法ＴＬよりもわずかに小さく形成されていても、後述のシリコーン樹脂の弾性により入口部１６を径寸法ＴＬまで拡張することができる。
また入口部１６の直径寸法ｔｉは、ピアスピン５０の径寸法ＴＳよりも大きく形成されている。入口部１６を大きくすることで、ピアスピン４０（５０）の押込み荷重の増加を抑えることができる。
【００１７】
本実施例の入口部１６の直径寸法ｔｉは、０．６５ｍｍ〜０．７ｍｍに設定される。
この範囲の直径寸法ｔｉであれば、図５の通り、径寸法ＴＳが０．５ｍｍのピアスピン５０であっても支持固定することができる。
また図４の通り、径寸法ＴＬが０．８ｍｍのピアスピン４０であってもその押込み荷重の増加を抑えることができる。
【００１８】
出口部２０は、正面円形の開口部である（図示しない。）。
また図３に示す出口部２０の直径寸法ｔｄは、ほぼゼロ寸法に設定される。つまり出口部２０の直径寸法ｔｄは、入口部１６の直径寸法の１／１０〜１／４０に設定される。
出口部２０の直径寸法ｔｄを極めて小さくすることで、ピアスピン４０（５０）を接触支持する支持力が出口部２０付近で増すことになる。
更に出口部２０の直径寸法ｔｄは、入口部１６の直径寸法ｔｉの１／１３〜１／３５に設定することが望ましい。この範囲であれば、ピアスピン４０（５０）の出口部２０通過時にかかる荷重の増加を抑えることもできる。
【００１９】
本実施例の出口部２０の直径寸法ｔｄは、０．０２ｍｍ〜０．０５ｍｍである。
この範囲の直径寸法ｔｄであれば、図５の通り、径寸法ＴＳが０．５ｍｍのピアスピン５０であっても接触支持できる。
また図４の通り、径寸法ＴＬが０．８ｍｍのピアスピン４０であってもムリなく出口部２０を通過させることができる。
【００２０】
［ピン孔］
図３のピン孔３０は、同図で見て左右に本体部１０を貫通した貫通孔である。このピン孔３０は、上述の入口部１６から出口部２０に向かって徐々に狭まる形状（漏斗状）に形成されている。
またピン孔３０の内壁は、ピン孔３０径方向内方に凸状の円弧形状となっている。上部内壁面１４は、同図で見て下方向に突出した円弧となっている。また下部内壁面１８は、同図で見て上方向に突出した円弧となっている。
【００２１】
上部内壁面１４と下部内壁面１８とが描く湾曲の程度（曲率）は任意である。
曲率が大きい場合には、両内壁面１４，１８が近づく度合いが大きくなる。両内壁面１４，１８が近づく度合いが大きくなることで、ピアスピン４０（５０）を接触支持する内壁面積を広くすることができる。
また曲率が小さい場合には、両内壁面１４，１８の近づく度合いが小さくなる。両内壁面１４，１８が近づく度合いが小さくなることで、ピアスピン４０（５０）挿入時の挿入荷重が小さくなる。
【００２２】
例えば両内壁面１４，１８の曲率半径Ｒが６０ｍｍ〜７０ｍｍであれば、図５の通り、径寸法ＴＳが０．５ｍｍのピアスピン５０であっても要求される所定の支持力が得られる。
また図４の通り、径寸法ＴＬが０．８ｍｍのピアスピン４０であってもその押込み荷重を抑えることができる。
本実施例の両内壁面１４，１８は、曲率半径Ｒ６４．５ｍｍに設定されている。
【００２３】
［ピアスキャッチの材質］
ピアスキャッチ１の材質として、従来からピアスキャッチ１の材質として使用されている各種樹脂，エラストマ，ゴムを使用できる。
本実施例のピアスキャッチ１は、シリコーン樹脂をその材質として使用している。シリコーン樹脂は、ピアスキャッチ１に要求される弾性を有する。このためピアスキャッチ１の材質として望ましい。またシリコーン樹脂は加工性に優れ、上述のピアスキャッチ１外形やピン孔３０形状を加工し易いためピアスキャッチ１の材質として望ましい。
また本実施例のピアスキャッチ１は、着色剤を添加したシリコーン樹脂をその材質として使用している。着色剤としては、公知の顔料，染料が用いられる。
なお、その表面に着色剤を塗付することで、ピアスキャッチ１を着色してもよい。
【００２４】
［作用・効果］
先ずピン孔３０は、入口部１６に向けて末広がりに大きくなっている。このため、径寸法ＴＬが０．８ｍｍのピアスピン４０であってもでピン孔３０挿入時の挿入荷重を抑えることができる。
また凸状の両内壁面１４，１８は、入口部１６付近から出口部２０にかけて急に狭まっていく。このため、挿入されたピアスピン４０（５０）と両内壁面１４，１８との接触面積は、直線形状の内壁面を有するピアスキャッチ１と比較して大きくなる。この結果として径寸法ＴＳが０．５ｍｍのピアスピン５０でも、接触面積が大きい分だけ安定して支持できる。
また入口部１６から出口部２０にかけての両内壁面１４，１８は円弧となっているため、挿入されたピアスピン４０（５０）を出口部２０へと無理なく案内することができる。
【００２５】
次にピアスキャッチ１は、シリコーン樹脂が本来有する弾性を備える。更に入口部１６が０．６５ｍｍ〜０．７ｍｍの直径寸法ｔｉを有することで、０．８ｍｍの径寸法ＴＬを有するピアスピン４０であってもその挿入荷重の増加を抑えることができる。
またピン孔３０は、０．０２ｍｍ〜０．０５ｍｍの直径寸法ｔｄを有する出口部２０へに向かって急に狭まっていく。このため出口部２０付近の支持力が増し、０．５ｍｍの径寸法ＴＳを有するピアスピン５０であっても安定して固定できる。
【００２６】
次に、ピアスキャッチ１が着色されて形成されているため人の目につき易い。ピアスキャッチ１が目に付き易い分、その紛失を防ぐことができる。また着色されたピアスキャッチはファッション性に優れる。
次に、把持部１２が形成されている分だけピアスキャッチ１を安定して持つことができる。またピアスキャッチ１の把持部１２側に入口部１６が形成されているため、ピン孔３０の方向を間違えることを防止または低減できる。
【００２７】
［その他の実施の形態］
本発明に係るピアスキャッチ１は、上述した実施の形態に限定されるものではなく、その他各種の実施の形態を取り得る。
先ず本体部１０の形状・大きさは変更可能である。つまり図１の本体部１０の幅寸法ｔｗは６ｍｍよりも小さくてもよく、大きくてもよい。また本体部１０の形状も、図１の側面で見て半円形，長方形，四角形など各種の形状であってもよい。
次に把持部１２の形状・大きさも変更可能である。例えば、図２の正面で見て楕円形，三角形，四角形，ハート型などの形状であってもよい。また本体部１０が把持し易い形状ならば、必ずしも把持部１２を設ける必要はない。
また入口部１６と出口部２０の形状も、挿通されるピアスピンに対応して変更できる。
【００２８】
次に本体部１０と把持部１２の両者には、それぞれ異なる着色がなされていてもよい。また何れか一方にのみ着色がなされていてもよい。ピン孔３０の方向の取り違えが更になくなるためである。なおピアスキャッチ１の形状・大きさによって紛失の可能性があまりない場合には着色する必要はない。
【図面の簡単な説明】
【００２９】
【図１】ピアスキャッチの側面図である。
【図２】把持部の正面図である。
【図３】ピアスキャッチの断面図である。
【図４】使用状態のピアスキャッチの断面図である。
【図５】使用状態のピアスキャッチの別の例の断面図である。
【符号の説明】
【００３０】
１     ピアスキャッチ
１０   本体部
１２   把持部
１４   上部内壁面
１６   入口部
１８   下部内壁面
２０   出口部
３０   ピン孔
４０，５０    ピアスピン
Ｒ     曲率半径
ｔｄ   直径寸法
ｔｉ   直径寸法
ｔｗ   幅寸法
【図１】
2006026143.tif 000003
【図２】
2006026143.tif 000004
【図３】
2006026143.tif 000005
【図４】
2006026143.tif 000006
【図５】
2006026143.tif 000007